(57)【要約】【課題】第１の放送方式の放送信号を受信可能な第１の受信機に第２の放送方式の放送信号を受信可能な第２の受信機を外部接続した受信システムであって、遠隔操作性が良好な受信システムを提供する。【解決手段】アナログＴＶ１（第１の受信機）と、アナログＴＶ１に外部接続されるＳＴＢ（第２の受信機）と、ＳＴＢ用リモコン送信機５とを備える受信システムであって、前記ＳＴＢが、ＳＴＢ受光部３と、ＳＴＢ受光部３が受信したＳＴＢ用リモコン送信機５から送信された赤外線信号に応じて前記ＳＴＢの動作を制御し、ＳＴＢ受光部３が受信したＳＴＢ用リモコン送信機５から送信された赤外線信号に応じたアナログＴＶ１用リモコンコードを選定する制御部２Ｈと、制御部２Ｈによって選定されたアナログＴＶ１用リモコンコードに対応した赤外線信号をアナログＴＶ１に送信するＳＴＢ発光部４とを備える。【選択図】図１
2009021745.tif 000002
【特許請求の範囲】
【請求項１】
第１の放送方式の放送信号を受信可能な第１の受信機に外部接続されることで第１の受信機とともに受信システムを構成する第２の放送方式の放送信号を受信可能な第２の受信機であって、
前記第２の受信機用リモコン送信機から送信された赤外線信号を受信する受光部と、
前記受光部が受信した前記第２の受信機用リモコン送信機から送信された赤外線信号に応じて前記第２の受信機の動作を制御し、前記受光部が受信した前記第２の受信機用リモコン送信機から送信された赤外線信号に応じた前記第１の受信機用リモコンコードを選定する制御部と、
前記制御部によって選定された前記第１の受信機用リモコンコードに対応した赤外線信号を前記第１の受信機の赤外線信号受信部に送信する発光部とを備えることを特徴とする受信機。
【請求項２】
複数種類の前記第１の受信機用リモコンコード群を記憶する記憶部と、
前記記憶部に記憶されている複数種類の前記第１の受信機用リモコンコード群の中から１つの前記第１の受信機用リモコンコード群を選択する選択手段とを備え、
前記選択手段によって選択された前記第１の受信機用リモコンコード群に基づいて、前記制御部が前記第１の受信機用リモコンコードの選定を行う請求項１に記載の受信機。
【請求項３】
前記第１の放送方式がアナログ放送方式であり、前記第２の放送方式がデジタル放送方式である請求項１又は請求項２に記載の受信機。
【請求項４】
第１の放送方式の放送信号を受信可能な第１の受信機と、
前記第１の受信機に外部接続される第２の受信機と、
前記第２の受信機用リモコン送信機とを備える受信システムであって、
前記第２の受信機が請求項１〜３のいずれかに記載の受信機であることを特徴とする受信システム。
【請求項５】
前記第２の受信機用リモコン送信機が、前記第１の放送方式の放送視聴と前記第２の放送方式の放送視聴のいずれか１つを選択するためのキーを有している請求項４に記載の受信システム。
【請求項６】
前記第２の受信機用リモコン送信機のキー操作によって前記第２の放送方式の放送視聴が選択された場合、前記制御部によって選定された前記第１の受信機用リモコンコードを、外部入力を指示するリモコンコードにする請求項５に記載の受信システム。
【請求項７】
前記第２の受信機用リモコン送信機がチャンネルキーを備え、前記チャンネルキーが押圧された場合、前記第２の放送方式の放送視聴が選択されているときには、前記第２の受信機のチャンネル切替動作を行い、前記第１の放送方式の放送視聴が選択されているときには、前記制御部によって選定された前記第１の受信機用リモコンコードを、チャンネル切替を指示するリモコンコードにし、前記第２の受信機がスタンバイ状態になる請求項６に記載の受信システム。
【請求項８】
前記第２の受信機用リモコン送信機が電源キーを備え、前記電源キーが押圧された場合、前記制御部によって選定された前記第１の受信機用リモコンコードを、電源ＯＮ／ＯＦＦ切替を指示するリモコンコードにする請求項４〜７のいずれかに記載の受信システム。
【請求項９】
前記第２の受信機用リモコン送信機が外部入力キーを備え、前記外部入力キーが押圧された場合、前記制御部によって選定された前記第１の受信機用リモコンコードを、外部入力状態になることを指示するリモコンコードにし、前記第２の受信機がスタンバイ状態になる請求項４〜８のいずれかに記載の受信システム。
【請求項１０】
前記第２の受信機用リモコン送信機がメニュー選択キーを備え、前記メニュー選択キーが押圧された場合、前記制御部によって選定された前記第１の受信機用リモコンコードを、外部入力状態になることを指示するリモコンコードにする請求項４〜９のいずれかに記載の受信システム。
【請求項１１】
前記第２の受信機用リモコン送信機が音量キーを備え、前記音量キーが押圧された場合、前記制御部によって選定された前記第１の受信機用リモコンコードを、音量調節を指示するリモコンコードにする請求項４〜１０のいずれかに記載の受信システム。
【請求項１２】
前記第２の受信機の前記受光部と前記発光部とはそれぞれ、前記第２の受信機の本体部分と別体であり、前記第２の受信機の前記受光部と前記発光部とが前記第１の受信機に設けられている赤外線信号受信部の前に配置されている請求項４〜１１のいずれかに記載の受信システム。
【発明の詳細な説明】
【技術分野】
【０００１】
本発明は、第１の放送方式の放送信号を受信可能な第１の受信機に外部接続されることで第１の受信機とともに受信システムを構成する第２の放送方式の放送信号を受信可能な第２の受信機に関する。また、本発明は、第１の放送方式の放送信号を受信可能な第１の受信機に第２の放送方式の放送信号を受信可能な第２の受信機を外部接続した受信システムに関する。
【背景技術】
【０００２】
地上波テレビ放送のアナログ放送からデジタル放送への切り替えが進むなか、放送局側のみならずテレビ受信機もデジタル放送への対応が必要となっている。アナログ放送からデジタル放送への切り替えの過渡期においては、アナログ放送が視聴できるＴＶ受信機にてデジタル放送も視聴しようとするユーザーは当然存在する。
【０００３】
例えばアナログ放送を受信するＴＶ受信機でデジタルチューナを内蔵しているタイプのものであれば、特許文献１のデジタル放送受信装置を適用することでリモコン送信機の放送切り替えボタンによってアナログ放送もデジタル放送も視聴することが可能であり、特許文献２の放送受信機番組選択システムを適用することでリモコン送信機に切り替えボタンを設けることなくアナログ放送もデジタル放送も視聴することが可能である。
【０００４】
また、例えばアナログ放送を受信するＴＶ受信機でデジタルチューナを内蔵していないタイプのものであれば、デジタルチューナを外部接続し、特許文献３のデジタルチューナ制御装置を適用することで、デジタルチューナがアナログ放送用リモコン送信機、デジタルチューナ用リモコン送信機のどちらでも制御可能となり、リモコン送信機の所定のキー操作により受信放送の切り替えが行われ、アナログ放送もデジタル放送も視聴することが可能である。
【０００５】
【特許文献１】特開２００４−１４７０６６号公報
【特許文献２】特開２００５−２１７５８７号公報
【特許文献３】特開２００５−２９５２６３号公報
【発明の開示】
【発明が解決しようとする課題】
【０００６】
今までアナログ放送を受信するＴＶ受信機でデジタルチューナを内蔵していないタイプのものを使用しており、デジタルチューナを外部接続することでアナログ放送もデジタル放送も視聴しようとするユーザーにとっては、アナログ放送を受信するＴＶ受信機でデジタルチューナを内蔵しているタイプのものと同様の操作性で単一のリモコン送信機によってアナログ放送を受信するＴＶ受信機でデジタルチューナを内蔵していないタイプのものもデジタルチューナも制御できることが望ましい。
【０００７】
特許文献１のデジタル放送受信装置、特許文献２の放送受信機番組選択システムはともに、単一のリモコン送信機による操作が可能であるが、アナログ放送を受信するＴＶ受信機でデジタルチューナを内蔵しているタイプのものを対象としているため、アナログ放送を受信するＴＶ受信機でデジタルチューナを内蔵していないタイプのものに外部接続されるデジタルチューナの制御はできない。
【０００８】
アナログ放送を受信するＴＶ受信機でデジタルチューナを内蔵していないタイプのものに、特許文献３のデジタルチューナ制御装置を外部接続した場合、単一のリモコン送信機によって、アナログ放送を受信するＴＶ受信機でデジタルチューナを内蔵していないタイプのものもデジタルチューナ制御装置も制御可能である。しかし、アナログ放送を受信するＴＶ受信機でデジタルチューナを内蔵していないタイプのものを遠隔操作する場合はアナログ放送を受信するＴＶ受信機でデジタルチューナを内蔵していないタイプのものの方向にリモコン送信機を向け、デジタルチューナ制御装置を遠隔操作する場合はデジタルチューナ制御装置の方向にリモコン送信機を向ける必要があり、リモコン送信機から送信される信号の指向性や反射性を考慮すると、デジタルチューナ制御装置へ向けて送信した信号を、アナログ放送を受信するＴＶ受信機でデジタルチューナを内蔵していないタイプのものへ誤って送信しないようにすることは困難である。
【０００９】
本発明は、上記の状況に鑑み、第１の放送方式の放送信号を受信可能な第１の受信機に外部接続されることで第１の受信機とともに受信システムを構成する第２の放送方式の放送信号を受信可能な第２の受信機であって、当該受信システムが第２の受信機用リモコン送信機によって第１の放送方式用チューナ及び第２の放送方式用チューナを内蔵する受信装置と同等操作性を得ることができる第２の受信機を提供することを目的とする。
【００１０】
また、本発明は、上記の状況に鑑み、第１の放送方式の放送信号を受信可能な第１の受信機に第２の放送方式の放送信号を受信可能な第２の受信機を外部接続した受信システムであって、第２の受信機用リモコン送信機によって第１の放送方式用チューナ及び第２の放送方式用チューナを内蔵する受信装置と同等操作性を得ることができる受信システムを提供することを目的とする。
【課題を解決するための手段】
【００１１】
上記目的を達成するために本発明に係る受信装置は、第１の放送方式の放送信号を受信可能な第１の受信機に外部接続されることで第１の受信機とともに受信システムを構成する第２の放送方式の放送信号を受信可能な第２の受信機であって、前記第２の受信機用リモコン送信機から送信された赤外線信号を受信する受光部と、前記受光部が受信した前記第２の受信機用リモコン送信機から送信された赤外線信号に応じて前記第２の受信機の動作を制御し、前記受光部が受信した前記第２の受信機用リモコン送信機から送信された赤外線信号に応じた前記第１の受信機用リモコンコードを選定する制御部と、前記制御部によって選定された前記第１の受信機用リモコンコードに対応した赤外線信号を前記第１の受信機の赤外線信号受信部に送信する発光部とを備える構成とする。
【００１２】
上記構成の受信装置を前記第１の受信機に外部接続すると、前記第２の受信機用リモコン送信機のキー操作により、前記第１の受信機と前記第２の受信機とを遠隔操作することができるので、第２の受信機用リモコン送信機によって第１の放送方式用チューナ及び第２の放送方式用チューナを内蔵する受信装置と同等操作性を得ることができる。
【００１３】
上記構成の受信装置において、複数種類の前記第１の受信機用リモコンコード群を記憶する記憶部と、前記記憶部に記憶されている複数種類の前記第１の受信機用リモコンコード群の中から１つの前記第１の受信機用リモコンコード群を選択する選択手段とを備え、前記選択手段によって選択された前記第１の受信機用リモコンコード群に基づいて、前記制御部が前記第１の受信機用リモコンコードの選定を行うようにしてもよい。
【００１４】
これにより、様々な種類の前記第１の受信機に対応することが可能となる。
【００１５】
また、上記各構成の受信装置において、前記第１の放送方式がアナログ放送方式であり、前記第２の放送方式がデジタル放送方式であるようにしてもよい。
【００１６】
また、上記目的を達成するために本発明に係る受信システムは、第１の放送方式の放送信号を受信可能な第１の受信機と、前記第１の受信機に外部接続される第２の受信機と、前記第２の受信機用リモコン送信機とを備える受信システムであって、前記第２の受信機が上記各構成の受信機であるようにしている。
【００１７】
このような構成によると、前記第２の受信機用リモコン送信機のキー操作により、前記第１の受信機と前記第２の受信機とを遠隔操作することができるので、第２の受信機用リモコン送信機によって第１の放送方式用チューナ及び第２の放送方式用チューナを内蔵する受信装置と同等操作性を得ることができる。
【００１８】
また、上記構成の受信システムにおいて、前記第２の受信機用リモコン送信機が、前記第１の放送方式の放送視聴と前記第２の放送方式の放送視聴のいずれか１つを選択するためのキーを有するようにしてもよい。さらに、前記第２の受信機用リモコン送信機のキー操作によって前記第２の放送方式の放送視聴が選択された場合、前記制御部によって選定された前記第１の受信機用リモコンコードを、外部入力を指示するリモコンコードにするようにしてもよい。
【００１９】
また、上記各構成の受信システムにおいて、前記第２の受信機用リモコン送信機がチャンネルキーを備え、前記チャンネルキーが押圧された場合、前記第２の放送方式の放送視聴が選択されているときには、前記第２の受信機のチャンネル切替動作を行い、前記第１の放送方式の放送視聴が選択されているときには、前記制御部によって選定された前記第１の受信機用リモコンコードを、チャンネル切替を指示するリモコンコードにし、前記第２の受信機がスタンバイ状態になるようにしてもよい。
【００２０】
また、上記各構成の受信システムにおいて、前記第２の受信機用リモコン送信機が電源キーを備え、前記電源キーが押圧された場合、前記制御部によって選定された前記第１の受信機用リモコンコードを、電源ＯＮ／ＯＦＦ切替を指示するリモコンコードにするようにしてもよい。
【００２１】
また、上記各構成の受信システムにおいて、前記第２の受信機用リモコン送信機が外部入力キーを備え、前記外部入力キーが押圧された場合、前記制御部によって選定された前記第１の受信機用リモコンコードを、外部入力状態になることを指示するリモコンコードにし、前記第２の受信機がスタンバイ状態になるようにしてもよい。
【００２２】
また、上記各構成の受信システムにおいて、前記第２の受信機用リモコン送信機がメニュー選択キーを備え、前記メニュー選択キーが押圧された場合、前記制御部によって選定された前記第１の受信機用リモコンコードを、外部入力状態になることを指示するリモコンコードにするようにしてもよい。
【００２３】
また、上記各構成の受信システムにおいて、前記第２の受信機用リモコン送信機が音量キーを備え、前記音量キーが押圧された場合、前記制御部によって選定された前記第１の受信機用リモコンコードを、音量調節を指示するリモコンコードにするようにしてもよい。
【００２４】
また、上記各構成の受信システムにおいて、前記第２の受信機の前記受光部と前記発光部とはそれぞれ、前記第２の受信機の本体部分と別体であり、前記第２の受信機の前記受光部と前記発光部とが前記第１の受信機に設けられている赤外線信号受信部の前に配置されるようにしてもよい。
【００２５】
これにより、前記発光部から送信される赤外線信号以外の赤外線信号が前記第１の受信機の赤外線信号受信部によって受光されることを妨げることできる。さらに、前記第１の受信機に向けて前記第２の受信機用リモコン送信機を操作することにより、前記第１の受信機と前記第２の受信機とを遠隔操作することができる。
【発明の効果】
【００２６】
本発明によると、第１の放送方式の放送信号を受信可能な第１の受信機に外部接続されることで第１の受信機とともに受信システムを構成する第２の放送方式の放送信号を受信可能な第２の受信機であって、当該受信システムが第２の受信機用リモコン送信機によって第１の放送方式用チューナ及び第２の放送方式用チューナを内蔵する受信装置と同等操作性を得ることができる第２の受信機を実現することができる。
【００２７】
また、本発明によると、第１の放送方式の放送信号を受信可能な第１の受信機に第２の放送方式の放送信号を受信可能な第２の受信機を外部接続した受信システムであって、第２の受信機用リモコン送信機によって第１の放送方式用チューナ及び第２の放送方式用チューナを内蔵する受信装置と同等操作性を得ることができる受信システムを実現することができる。
【発明を実施するための最良の形態】
【００２８】
本発明の実施形態について図面を参照して説明する。図１は、本発明に係る受信システムの一構成例を示すブロック図である。図１に示す本発明に係る受信システムは、アナログＴＶ（アナログ放送を受信するＴＶ受信機でデジタルチューナを内蔵していないタイプのもの）１と、アナログＴＶ１に外部接続される本発明に係るセットトップボックス（ＳＴＢ：Set Top Box）と、本発明に係るセットトップボックスに附属のＳＴＢ用リモコン送信機５とによって構成されている。そして、本発明に係るセットトップボックスは、ＳＴＢ本体２と、ＳＴＢ受光部３と、ＳＴＢ発光部４とによって構成されている。
【００２９】
アナログＴＶ１は、赤外線信号を受光する受光部１Ａと、アナログ放送受信用アンテナが接続されるアンテナ入力端子１Ｂと、映像を映し出すモニタ１Ｃと、音声を出力するスピーカ１Ｄと、映像信号外部入力端子１Ｅと、音声信号外部入力端子１Ｆとを備える。アナログＴＶ１は、受光部１Ａが受光した赤外線信号に応じた動作を行い、外部入力状態のときには映像信号外部入力端子１Ｅに入力される映像信号に基づくモニタ１Ｃの映像表示と音声信号外部入力端子１Ｆに入力される音声信号に基づくスピーカ１Ｄの音声出力を行い、外部入力状態でないときにはアンテナ入力端子１Ｂに入力される信号に基づいてモニタ１Ｃの映像表示とスピーカ１Ｄの音声出力とを行う。
【００３０】
ＳＴＢ本体２は、デジタル放送受信用アンテナが接続されるアンテナ入力端子２Ａと、アンテナ入力端子２Ａが入力した放送信号の中から受信する放送を選局してダウンコンバートする地上波デジタルチューナユニット２Ｂと、地上波デジタルチューナユニット２Ｂから出力された信号を復調する復調部２Ｃと、復調部２Ｃから出力された信号を映像信号及び音声信号にデコードするＭＰＥＧデコーダ２Ｄと、ＭＰＥＧデコーダ２Ｄから出力された映像信号を外部出力するための映像信号出力端子２Ｅと、ＭＰＥＧデコーダ２Ｄから出力された音声信号を外部出力するための音声信号出力端子２Ｆとを備える。アナログＴＶ１の映像信号外部入力端子１ＥとＳＴＢ本体２の映像信号出力端子２Ｅとはケーブル等により互いに接続され、アナログＴＶ１の音声信号外部入力端子１ＦとＳＴＢ本体２の音声信号出力端子２Ｆとはケーブル等により互いに接続される。すなわち、ＳＴＢ本体２はアナログＴＶ１に外部接続される。
【００３１】
また、ＳＴＢ本体２は、ＳＴＢ受光部３から出力されるリモコンコードデータを入力するための端子２Ｇと、端子２Ｇによって入力されたリモコンコードデータに基づいて、地上波デジタルチューナユニット２Ｂその他のＳＴＢ本体２の各部分を制御するとともに、アナログＴＶ１を遠隔操作するためのアナログＴＶ１用のリモコンコードデータを出力する制御部２Ｈと、アナログＴＶ用リモコンコードテーブルデータ記憶部２Ｉと、制御部２Ｈから出力されたアナログＴＶ１用のリモコンコードデータをＳＴＢ発光部４に送出するための端子２Ｊとを備える。
【００３２】
アナログＴＶ用リモコンコードテーブルデータ記憶部２Ｉは、過去販売された主要なアナログＴＶのリモコンコード群をテーブル形式に持ったデータを記憶している（図２参照）。制御部２Ｈは、ユーザー操作に従い、アナログＴＶ用リモコンコードテーブルデータ記憶部２Ｉに記憶されている複数種類のアナログＴＶ用リモコンコード群の中から１つのアナログＴＶ用リモコンコード群を選択して使用する。例えば、アナログＴＶ１に附属のリモコン送信機をＳＴＢ受光部３に向けてユーザーがキー操作を行うと、制御部２Ｈが、受け取ったリモコンデータとアナログＴＶ用リモコンコードテーブルデータ記憶部２Ｉに記憶されている複数種類のアナログＴＶ用リモコンコード群とを照合し、その照合結果に基づいて、アナログＴＶ用リモコンコードテーブルデータ記憶部２Ｉに記憶されている複数種類のアナログＴＶ用リモコンコード群の中から１つのアナログＴＶ用リモコンコード群を選択して使用する。
【００３３】
また、制御部２Ｈは、ＳＴＢ用リモコンコード群を記憶しており、前記ＳＴＢ用アナログＴＶ用リモコンコード群を参照して、受け取ったリモコンコードデータに応じた動作を実行するようにＳＴＢ本体２の各部を制御する。
【００３４】
ＳＴＢ受光部３は、受信した赤外線信号を電気信号に変換する受光部３Ａと、受光部３Ａから出力された電気信号をリモコンコードデータに復調するリモコンコード復調部３Ｂと、リモコンコード復調部３Ｂから出力されたリモコンコードデータをＳＴＢ本体２に送出するための端子３Ｃとを備える。ＳＴＢ発光部４は、ＳＴＢ本体２から送出されるアナログＴＶ１用のリモコンコードデータを入力するための端子４Ａと、端子４Ａが入力したアナログＴＶ１用のリモコンコードデータを変調するリモコンコード変調部４Ｂと、リモコンコード変調部４Ｂから出力された変調信号を赤外線信号に変換して出力する発光部４Ｃとを備える。ＳＴＢ本体２の端子２ＧとＳＴＢ受光部３の端子３Ｃとはケーブル等により互いに接続され、ＳＴＢ本体２の端子２ＪとＳＴＢ発光部４の端子４Ａとはケーブル等により互いに接続される。
【００３５】
本発明に係るセットトップボックスに附属のＳＴＢ用リモコン送信機５は、発光部５Ａと、リモコンキー部５Ｂとを備え、リモコンキー部５Ｂ中の任意のキーがユーザーにより押圧されると、その押圧されたキーの機能に割り当てられたリモコンコードデータを変調した上で赤外線信号に変換して発光部５Ａから送信する。ＳＴＢ用リモコン送信機５のリモコンキー部５Ｂの主要なキーを図３に示し、その主要なキーがユーザーによって押された場合の動作について説明する。
【００３６】
ＳＴＢ用リモコン送信機５の発光部５ＡがＳＴＢ受光部３に向けられた状態で、電源キー５Ｂ１がユーザーによって押圧されると、電源キー５Ｂ１に割り当てられたリモコンコードデータを制御部２Ｈが受け取る。電源キー５Ｂ１に割り当てられたリモコンコードデータを受け取った制御部２Ｈは、ＳＴＢ本体２の電源ＯＮ／ＯＦＦを切り替えるようにＳＴＢ本体２の各部を制御するとともに、アナログＴＶ用リモコンコードテーブルデータ記憶部２Ｉに記憶されているデータを参照して、アナログＴＶ１用の電源ＯＮ／ＯＦＦ切替機能に対応するリモコンコードを端子２Ｊに出力する。これにより、アナログＴＶ１とＳＴＢ本体２双方の電源ＯＮ／ＯＦＦが切り替わる。
【００３７】
ＳＴＢ用リモコン送信機５の発光部５ＡがＳＴＢ受光部３に向けられた状態で、デジタルキー５Ｂ２がユーザーによって押圧されると、デジタルキー５Ｂ２に割り当てられたリモコンコードデータを制御部２Ｈが受け取る。デジタルキー５Ｂ２に割り当てられたリモコンコードデータを受け取った制御部２Ｈは、デジタル放送視聴モードとなり、ＳＴＢ本体２が通常動作状態になるようにＳＴＢ本体２の各部を制御するとともに、アナログＴＶ用リモコンコードテーブルデータ記憶部２Ｉに記憶されているデータを参照して、アナログＴＶ１用の外部入力機能に対応するリモコンコードを端子２Ｊに出力する。これにより、アナログＴＶ１は外部入力状態となり、ＳＴＢ本体２は通常動作状態となり、デジタル放送視聴が可能となる。
【００３８】
ＳＴＢ用リモコン送信機５の発光部５ＡがＳＴＢ受光部３に向けられた状態で、アナログキー５Ｂ３がユーザーによって押圧されると、アナログキー５Ｂ３に割り当てられたリモコンコードデータを制御部２Ｈが受け取る。アナログキー５Ｂ３に割り当てられたリモコンコードデータを受け取った制御部２Ｈは、アナログ放送視聴モードとなり、ＳＴＢ本体２がスタンバイ状態になるようにＳＴＢ本体２の各部を制御するとともに、アナログＴＶ用リモコンコードテーブルデータ記憶部２Ｉに記憶されているデータを参照して、アナログＴＶ１用の非外部入力機能に対応するリモコンコードを端子２Ｊに出力する。これにより、アナログＴＶ１は非外部入力状態となり、ＳＴＢ本体２はスタンバイ状態となり、アナログ放送視聴が可能となる。
【００３９】
ＳＴＢ用リモコン送信機５の発光部５ＡがＳＴＢ受光部３に向けられた状態で、音量キー（音量アップキー、音量ダウンキー）５Ｂ４のいずれかがユーザーによって押圧されると、音量キー５Ｂ４の押圧されたキーに割り当てられたリモコンコードデータを制御部２Ｈが受け取る。音量キー５Ｂ４の押圧されたキーに割り当てられたリモコンコードデータを受け取った制御部２Ｈは、アナログＴＶ用リモコンコードテーブルデータ記憶部２Ｉに記憶されているデータを参照して、アナログＴＶ１用の音量調節機能に対応するリモコンコードを端子２Ｊに出力する。これにより、アナログＴＶ１のスピーカ１Ｄから出力される音声の音量が調節される。
【００４０】
ＳＴＢ用リモコン送信機５の発光部５ＡがＳＴＢ受光部３に向けられた状態で、チャンネル切替キー（チャンネルアップキー、チャンネルダウンキー、ダイレクト選局用数字キー）５Ｂ５のいずれかがユーザーによって押圧されると、チャンネル切替キー５Ｂ５の押圧されたキーに割り当てられたリモコンコードデータを制御部２Ｈが受け取る。
【００４１】
チャンネル切替キー５Ｂ５の押圧されたキーに割り当てられたリモコンコードデータを受け取った制御部２Ｈは、アナログ放送視聴モードである場合、ＳＴＢ本体２がスタンバイ状態になるようにＳＴＢ本体２の各部を制御するとともに、アナログＴＶ用リモコンコードテーブルデータ記憶部２Ｉに記憶されているデータを参照して、アナログＴＶ１用のチャンネル切替機能に対応するリモコンコードを端子２Ｊに出力する。これにより、アナログＴＶ１が受信するアナログ放送のチャンネル選局が行われる。なお、アナログＴＶ１は外部入力状態であってもチャンネル切替のリモコンコードを受け取ると非外部入力状態に移行してチャンネル選局を実行する。
【００４２】
チャンネル切替キー５Ｂ５の押圧されたキーに割り当てられたリモコンコードデータを受け取った制御部２Ｈは、デジタル放送視聴モードである場合、アナログＴＶ用リモコンコードテーブルデータ記憶部２Ｉに記憶されているデータを参照して、アナログＴＶ１用の外部入力機能に対応するリモコンコードを端子２Ｊに出力するとともに、ＳＴＢ本体２が受信するデジタル放送のチャンネル選局が行われるように地上波デジタルチューナユニット２Ｂを制御する。なお、上記のように、制御部２ＨがアナログＴＶ１用の外部入力機能に対応するリモコンコードを端子２Ｊに出力するようにしたのは、アナログＴＶ１に設けられたキーをユーザーが操作することによりアナログＴＶ１が非外部入力状態になっていることが有り得るからである。
【００４３】
ＳＴＢ用リモコン送信機５の発光部５ＡがＳＴＢ受光部３に向けられた状態で、外部入力キー５Ｂ６がユーザーによって押圧されると、外部入力キー５Ｂ６に割り当てられたリモコンコードデータを制御部２Ｈが受け取る。外部入力キー５Ｂ６に割り当てられたリモコンコードデータを受け取った制御部２Ｈは、ＳＴＢ本体２がスタンバイ状態になるようにＳＴＢ本体２の各部を制御するとともに、アナログＴＶ用リモコンコードテーブルデータ記憶部２Ｉに記憶されているデータを参照して、アナログＴＶ１用の外部入力機能に対応するリモコンコードを端子２Ｊに出力する。これにより、アナログＴＶ１は外部入力状態となり、ＳＴＢ本体２はスタンバイ状態となる。
【００４４】
ＳＴＢ用リモコン送信機５の発光部５ＡがＳＴＢ受光部３に向けられた状態で、メニュー選択キー（上下左右キー、決定キー、戻るキー、メニューキー）５Ｂ７のいずれかがユーザーによって押圧されると、メニュー選択キー５Ｂ７の押圧されたキーに割り当てられたリモコンコードデータを制御部２Ｈが受け取る。メニュー選択キー５Ｂ７の押圧されたキーに割り当てられたリモコンコードデータを受け取った制御部２Ｈは、ＳＴＢ本体２が通常動作状態で上記受け取ったリモコンコードデータに応じた動作を行うようにＳＴＢ本体２の各部を制御するとともに、アナログＴＶ用リモコンコードテーブルデータ記憶部２Ｉに記憶されているデータを参照して、アナログＴＶ１用の外部入力機能に対応するリモコンコードを端子２Ｊに出力する。これにより、アナログＴＶ１は外部入力状態となり、ＳＴＢ本体２はメニュー選択キー５Ｂ７の押圧されたキーに割り当てられた機能に応じた動作を行う。
【００４５】
以上説明した動作を表にまとめると、図４のようになる。なお、ＳＴＢ用リモコン送信機５のリモコンキー部５Ｂには、図３において図示した主要なキーの他に、ＥＰＧに関するキーやデータ放送に関するキーようにアナログ放送では使用せず、デジタル放送のみで使用するようなキーが設けられていてもよい。
【００４６】
ＳＴＢ発光部４をアナログＴＶ１の受光部１Ａの前面に配置することにより、ＳＴＢ発光部４から送信される赤外線信号以外の赤外線信号がアナログＴＶ１の受光部１Ａによって受光されることを妨げることできる。さらに、ＳＴＢ受光部３とＳＴＢ発光部４との背面同士を付けると、アナログＴＶ１に向けてＳＴＢ用リモコン送信機５を操作することにより、アナログＴＶ１と本発明に係るセットトップボックスとを操作することが可能になる。
【００４７】
また、ＳＴＢ本体２とＳＴＢ受光部３との間の配線、ＳＴＢ本体２とＳＴＢ発光部４との間の配線を長くすることにより、必ずしもアナログＴＶ１の側近にＳＴＢ本体２を配置する必要がなくなる。
【００４８】
アナログＴＶ１に外部接続される機器は、本発明に係るＳＴＢだけとは限らない。図５は、アナログＴＶ１に外部接続される機器が複数である場合の本発明に係る受信システムの一構成例を示す図である。なお、図５において図１と同一の部分には同一の符号を付し詳細な説明を省略する。
【００４９】
図５に示す本発明に係る受信システムは、アナログＴＶ１と、ＳＴＢ本体２、ＳＴＢ受光部３、及びＳＴＢ発光部４によって構成されアナログＴＶ１に外部接続される本発明に係るＳＴＢと、本発明に係るセットトップボックスに附属のＳＴＢ用リモコン送信機５と、本発明に係るＳＴＢ以外のアナログＴＶ１に外部接続される機器とによって構成されている。なお、本発明に係るＳＴＢ以外のアナログＴＶ１に外部接続される機器の例として、ＤＶＤプレーヤ６と、ハードディスクレコーダ（ＨＤレコーダ）７とを図示しているが、これはアナログＴＶ１に接続可能なものであれば何でもよく、他の例としてはＶＴＲやビデオカメラのようなものが考えられる。
【００５０】
ここでは、アナログＴＶ１の第１の外部入力（映像信号外部入力端子１Ｅ及び音声信号外部入力端子１Ｆ）にＳＴＢ本体２が外部接続され、アナログＴＶ１の第２の外部入力（映像信号外部入力端子１Ｇ及び音声信号外部入力端子１Ｈ）にＤＶＤプレーヤ６が外部接続され、アナログＴＶ１の第３の外部入力（映像信号外部入力端子１Ｉ及び音声信号外部入力端子１Ｊ）にＨＤレコーダ７が外部接続されているものとする。
【００５１】
以下、ＳＴＢ用リモコン送信機５のリモコンキー部５Ｂの主要なキーがユーザーによって押された場合の図５に示す本発明に係る受信システムの動作について、図１に示す本発明に係る受信システムと同一の点は説明を省略し、図１に示す本発明に係る受信システムと異なる点のみを説明する。
【００５２】
ＳＴＢ用リモコン送信機５の発光部５ＡがＳＴＢ受光部３に向けられた状態で、デジタルキー５Ｂ２がユーザーによって押圧されると、デジタルキー５Ｂ２に割り当てられたリモコンコードデータを制御部２Ｈが受け取る。デジタルキー５Ｂ２に割り当てられたリモコンコードデータを受け取った制御部２Ｈは、デジタル放送視聴モードとなり、ＳＴＢ本体２が通常動作状態になるようにＳＴＢ本体２の各部を制御するとともに、アナログＴＶ用リモコンコードテーブルデータ記憶部２Ｉに記憶されているデータを参照して、アナログＴＶ１用の第１の外部入力機能に対応するリモコンコードを端子２Ｊに出力する。これにより、アナログＴＶ１は第１の外部入力（映像信号外部入力端子１Ｅ及び音声信号外部入力端子１Ｆ）に入力される映像信号に基づく映像表示及び音声出力を行う第１の外部入力状態となり、ＳＴＢ本体２は通常動作状態となり、デジタル放送視聴が可能となる。
【００５３】
ＳＴＢ用リモコン送信機５の発光部５ＡがＳＴＢ受光部３に向けられた状態で、チャンネル切替キー（チャンネルアップキー、チャンネルダウンキー、ダイレクト選局用数字キー）５Ｂ５のいずれかがユーザーによって押圧されると、チャンネル切替キー５Ｂ５の押圧されたキーに割り当てられたリモコンコードデータを制御部２Ｈが受け取る。チャンネル切替キー５Ｂ５の押圧されたキーに割り当てられたリモコンコードデータを受け取った制御部２Ｈは、デジタル放送視聴モードである場合、アナログＴＶ用リモコンコードテーブルデータ記憶部２Ｉに記憶されているデータを参照して、アナログＴＶ１用の第１の外部入力機能に対応するリモコンコードを端子２Ｊに出力するとともに、ＳＴＢ本体２が受信するデジタル放送のチャンネル選局が行われるように地上波デジタルチューナユニット２Ｂを制御する。これにより、アナログＴＶ１は第１の外部入力（映像信号外部入力端子１Ｅ及び音声信号外部入力端子１Ｆ）に入力される映像信号に基づく映像表示及び音声出力を行う第１の外部入力状態となる。
【００５４】
ＳＴＢ用リモコン送信機５の発光部５ＡがＳＴＢ受光部３に向けられた状態で、外部入力キー５Ｂ６がユーザーによって押圧されると、外部入力キー５Ｂ６に割り当てられたリモコンコードデータを制御部２Ｈが受け取る。外部入力キー５Ｂ６に割り当てられたリモコンコードデータを受け取った制御部２Ｈは、ＳＴＢ本体２がスタンバイ状態になるようにＳＴＢ本体２の各部を制御するとともに、アナログＴＶ用リモコンコードテーブルデータ記憶部２Ｉに記憶されているデータを参照して、アナログＴＶ１用の第２の外部入力機能または第３の外部入力機能に対応するリモコンコードを端子２Ｊに出力する。これにより、アナログＴＶ１は第２の外部入力（映像信号外部入力端子１Ｇ及び音声信号外部入力端子１Ｈ）に入力される映像信号に基づく映像表示及び音声出力を行う第２の外部入力状態または第３の外部入力（映像信号外部入力端子１Ｉ及び音声信号外部入力端子１Ｊ）に入力される映像信号に基づく映像表示及び音声出力を行う第３の外部入力状態となり、ＳＴＢ本体２はスタンバイ状態となる。
【００５５】
ＳＴＢ用リモコン送信機５の発光部５ＡがＳＴＢ受光部３に向けられた状態で、メニュー選択キー（上下左右キー、決定キー、戻るキー、メニューキー）５Ｂ７のいずれかがユーザーによって押圧されると、メニュー選択キー５Ｂ７の押圧されたキーに割り当てられたリモコンコードデータを制御部２Ｈが受け取る。メニュー選択キー５Ｂ７の押圧されたキーに割り当てられたリモコンコードデータを受け取った制御部２Ｈは、ＳＴＢ本体２が通常動作状態で上記受け取ったリモコンコードデータに応じた動作を行うようにＳＴＢ本体２の各部を制御するとともに、アナログＴＶ用リモコンコードテーブルデータ記憶部２Ｉに記憶されているデータを参照して、アナログＴＶ１用の第１の外部入力機能に対応するリモコンコードを端子２Ｊに出力する。これにより、アナログＴＶ１は第１の外部入力（映像信号外部入力端子１Ｅ及び音声信号外部入力端子１Ｆ）に入力される映像信号に基づく映像表示及び音声出力を行う第１の外部入力状態となり、ＳＴＢ本体２はメニュー選択キー５Ｂ７の押圧されたキーに割り当てられた機能に応じた動作を行う。
【００５６】
以上説明した動作を表にまとめると、図６のようになる。
【図面の簡単な説明】
【００５７】
【図１】は、本発明に係る受信システムの一構成例を示すブロック図である。
【図２】は、アナログＴＶ用リモコンコードテーブルデータを示す図である。
【図３】は、ＳＴＢ用リモコン送信機のリモコンキー部の主要なキーを示す図である。
【図４】は、図１に示す受信システムの各動作を示す図である。
【図５】は、アナログＴＶ１に外部接続される機器が複数である場合の本発明に係る受信システムの一構成例を示すブロック図である。
【図６】は、図５に示す受信システムの各動作を示す図である。
【符号の説明】
【００５８】
１    アナログＴＶ
２    ＳＴＢ本体
３    ＳＴＢ受光部
４    ＳＴＢ発光部
５    ＳＴＢ用リモコン送信機
５Ｂ１    電源キー
５Ｂ２    デジタルキー
５Ｂ３    アナログキー
５Ｂ４    音量キー
５Ｂ５    チャンネル切替キー
５Ｂ６    外部入力キー
５Ｂ７    メニュー選択キー
【図１】
2009021745.tif 000003
【図２】
2009021745.tif 000004
【図３】
2009021745.tif 000005
【図４】
2009021745.tif 000006
【図５】
2009021745.tif 000007
【図６】
2009021745.tif 000008
【手続補正書】
【提出日】平成20年6月13日(2008.6.13)
【手続補正１】
【補正対象書類名】特許請求の範囲
【補正対象項目名】請求項４
【補正方法】変更
【補正の内容】
【請求項４】
第１の放送方式の放送信号を受信可能な第１の受信機と、
第２の放送方式の放送信号を受信可能であって、前記第１の受信機に外部接続される第２の受信機と、
前記第２の受信機用リモコン送信機とを備える受信システムであって、
前記第２の受信機が請求項１〜３のいずれかに記載の受信機であることを特徴とする受信システム。
【手続補正２】
【補正対象書類名】明細書
【補正対象項目名】００１６
【補正方法】変更
【補正の内容】
【００１６】
また、上記目的を達成するために本発明に係る受信システムは、第１の放送方式の放送信号を受信可能な第１の受信機と、第２の放送方式の放送信号を受信可能であって、前記第１の受信機に外部接続される第２の受信機と、前記第２の受信機用リモコン送信機とを備える受信システムであって、前記第２の受信機が上記各構成の受信機であるようにしている。
【手続補正３】
【補正対象書類名】明細書
【補正対象項目名】００３３
【補正方法】変更
【補正の内容】
【００３３】
また、制御部２Ｈは、ＳＴＢ用リモコンコード群を記憶しており、前記ＳＴＢ用リモコンコード群を参照して、受け取ったリモコンコードデータに応じた動作を実行するようにＳＴＢ本体２の各部を制御する。
【手続補正４】
【補正対象書類名】明細書
【補正対象項目名】００５２
【補正方法】変更
【補正の内容】
【００５２】
ＳＴＢ用リモコン送信機５の発光部５ＡがＳＴＢ受光部３に向けられた状態で、デジタルキー５Ｂ２がユーザーによって押圧されると、デジタルキー５Ｂ２に割り当てられたリモコンコードデータを制御部２Ｈが受け取る。デジタルキー５Ｂ２に割り当てられたリモコンコードデータを受け取った制御部２Ｈは、デジタル放送視聴モードとなり、ＳＴＢ本体２が通常動作状態になるようにＳＴＢ本体２の各部を制御するとともに、アナログＴＶ用リモコンコードテーブルデータ記憶部２Ｉに記憶されているデータを参照して、アナログＴＶ１用の第１の外部入力機能に対応するリモコンコードを端子２Ｊに出力する。これにより、アナログＴＶ１は第１の外部入力（映像信号外部入力端子１Ｅ及び音声信号外部入力端子１Ｆ）に入力される映像信号及び音声信号に基づく映像表示及び音声出力を行う第１の外部入力状態となり、ＳＴＢ本体２は通常動作状態となり、デジタル放送視聴が可能となる。
【手続補正５】
【補正対象書類名】明細書
【補正対象項目名】００５３
【補正方法】変更
【補正の内容】
【００５３】
ＳＴＢ用リモコン送信機５の発光部５ＡがＳＴＢ受光部３に向けられた状態で、チャンネル切替キー（チャンネルアップキー、チャンネルダウンキー、ダイレクト選局用数字キー）５Ｂ５のいずれかがユーザーによって押圧されると、チャンネル切替キー５Ｂ５の押圧されたキーに割り当てられたリモコンコードデータを制御部２Ｈが受け取る。チャンネル切替キー５Ｂ５の押圧されたキーに割り当てられたリモコンコードデータを受け取った制御部２Ｈは、デジタル放送視聴モードである場合、アナログＴＶ用リモコンコードテーブルデータ記憶部２Ｉに記憶されているデータを参照して、アナログＴＶ１用の第１の外部入力機能に対応するリモコンコードを端子２Ｊに出力するとともに、ＳＴＢ本体２が受信するデジタル放送のチャンネル選局が行われるように地上波デジタルチューナユニット２Ｂを制御する。これにより、アナログＴＶ１は第１の外部入力（映像信号外部入力端子１Ｅ及び音声信号外部入力端子１Ｆ）に入力される映像信号及び音声信号に基づく映像表示及び音声出力を行う第１の外部入力状態となる。
【手続補正６】
【補正対象書類名】明細書
【補正対象項目名】００５４
【補正方法】変更
【補正の内容】
【００５４】
ＳＴＢ用リモコン送信機５の発光部５ＡがＳＴＢ受光部３に向けられた状態で、外部入力キー５Ｂ６がユーザーによって押圧されると、外部入力キー５Ｂ６に割り当てられたリモコンコードデータを制御部２Ｈが受け取る。外部入力キー５Ｂ６に割り当てられたリモコンコードデータを受け取った制御部２Ｈは、ＳＴＢ本体２がスタンバイ状態になるようにＳＴＢ本体２の各部を制御するとともに、アナログＴＶ用リモコンコードテーブルデータ記憶部２Ｉに記憶されているデータを参照して、アナログＴＶ１用の第２の外部入力機能または第３の外部入力機能に対応するリモコンコードを端子２Ｊに出力する。これにより、アナログＴＶ１は第２の外部入力（映像信号外部入力端子１Ｇ及び音声信号外部入力端子１Ｈ）に入力される映像信号及び音声信号に基づく映像表示及び音声出力を行う第２の外部入力状態または第３の外部入力（映像信号外部入力端子１Ｉ及び音声信号外部入力端子１Ｊ）に入力される映像信号及び音声信号に基づく映像表示及び音声出力を行う第３の外部入力状態となり、ＳＴＢ本体２はスタンバイ状態となる。
【手続補正７】
【補正対象書類名】明細書
【補正対象項目名】００５５
【補正方法】変更
【補正の内容】
【００５５】
ＳＴＢ用リモコン送信機５の発光部５ＡがＳＴＢ受光部３に向けられた状態で、メニュー選択キー（上下左右キー、決定キー、戻るキー、メニューキー）５Ｂ７のいずれかがユーザーによって押圧されると、メニュー選択キー５Ｂ７の押圧されたキーに割り当てられたリモコンコードデータを制御部２Ｈが受け取る。メニュー選択キー５Ｂ７の押圧されたキーに割り当てられたリモコンコードデータを受け取った制御部２Ｈは、ＳＴＢ本体２が通常動作状態で上記受け取ったリモコンコードデータに応じた動作を行うようにＳＴＢ本体２の各部を制御するとともに、アナログＴＶ用リモコンコードテーブルデータ記憶部２Ｉに記憶されているデータを参照して、アナログＴＶ１用の第１の外部入力機能に対応するリモコンコードを端子２Ｊに出力する。これにより、アナログＴＶ１は第１の外部入力（映像信号外部入力端子１Ｅ及び音声信号外部入力端子１Ｆ）に入力される映像信号及び音声信号に基づく映像表示及び音声出力を行う第１の外部入力状態となり、ＳＴＢ本体２はメニュー選択キー５Ｂ７の押圧されたキーに割り当てられた機能に応じた動作を行う。
【手続補正８】
【補正対象書類名】図面
【補正対象項目名】図５
【補正方法】変更
【補正の内容】
【図５】
2009021745.tif 000009